(57)【要約】【課題】縮小画像で表示された類似画像であっても容易に識別ができる画像表示装置、画像表示方法、画像表示プログラムおよび画像表示プログラムを格納した記録媒体を提供する。【解決手段】文書ファイルを取得する文書ファイル取得手段１２１と、文書ファイル取得手段により取得した文書ファイルにかかる画像の縮小画像を生成する縮小画像生成手段１２２と、ディスプレイに表示された前記縮小画像がポインタ指定された場合に、文書ファイルにかかる画像上の処理領域を決定する処理領域決定手段１２４と、処理領域内の情報を前記文書ファイルから抽出する処理領域内情報抽出手段１２５と、処理領域内情報抽出手段が抽出した処理領域内情報を所定の大きさでディスプレイに表示する処理領域内情報表示手段１２８と備える。【選択図】    図１
2005017592.tif 000002
【特許請求の範囲】
【請求項１】
ディスプレイに文書ファイルの縮小画像を表示する画像表示装置において、
文書ファイルを取得する文書ファイル取得手段と、
前記文書ファイル取得手段により取得した文書ファイルにかかる画像の縮小画像を生成する縮小画像生成手段と、
前記ディスプレイに表示された前記縮小画像がポインタ指定された場合に、前記文書ファイルにかかる画像上の処理領域を決定する処理領域決定手段と、
前記処理領域内の情報を前記文書ファイルから抽出する処理領域内情報抽出手段と、
前記処理領域内情報抽出手段が抽出した処理領域内情報を所定の大きさでディスプレイに表示する処理領域内情報表示手段と、
備えたことを特徴とする画像表示装置。
【請求項２】
文字認識手段を有し、当該文字認識手段は前記処理領域内情報抽出手段が抽出した前記処理領域内情報が文字コードで表されないイメージ文字であるときは当該イメージ文字を文字認識することを特徴とする請求項１に記載の画像表示装置。
【請求項３】
前記縮小画像生成手段が生成した縮小画像を蓄積するとともに、前記処理領域内情報抽出手段により抽出した前記処理領域内情報を前記処理領域に対応させて蓄積する処理領域内情報蓄積手段と、
前記ディスプレイに表示された前記縮小画像における前記領域がポインタ指定された場合には、前記処理領域内情報蓄積手段に前記ポインタが指示した座標に対応する前記処理領域内情報があるか否かを検索する処理領域内情報検索手段と、
を備え、
前記処理領域内情報検索手段が、前記処理領域内情報蓄積手段に前記ポインタが指示した座標がに対応する前記処理領域内情報があることを検出したときは、前記処理領域内情報表示手段は処理領域決定手段による処理領域の決定をせずに当該処理領域内情報を前記ディスプレイに表示する、
ことを特徴とする請求項１または２に記載の画像表示装置。
【請求項４】
前記文書ファイル取得手段により取得した文書ファイルおよび／または前記縮小画像生成手段により生成した前記縮小画像についてフィルタ処理を行うフィルタ処理手段を備えたことを特徴とする請求項１から３の何れかに記載の画像表示装置。
【請求項５】
前記フィルタ処理手段は前記文書ファイルおよび／または前記縮小画像にコントラスト強調処理および／またはシャープ化処理を行うことを特徴とする請求項４に記載の画像表示装置。
【請求項６】
前記処理領域内情報表示手段は前記処理領域内情報をポップアップ表示することを特徴とする請求項１から５の何れかに記載の画像表示装置。
【請求項７】
前記処理領域内情報表示手段は、前記処理領域内情報を、その全部または一部を前記縮小画像と重畳させて、または表示領域と重畳させずに表示することを特徴とする請求項１から６の何れかに記載の画像表示装置。
【請求項８】
前記処理領域内情報表示手段は、前記処理領域内情報を、所定の大きさで表示することを特徴とする請求項１から７の何れかに記載の画像表示装置。
【請求項９】
ディスプレイに文書ファイルの縮小画像を表示する画像表示方法において、
文書ファイルを取得する文書ファイル取得ステップと、
前記文書ファイル取得ステップにおいて取得した文書ファイルにかかる画像の縮小画像を生成する縮小画像生成ステップと、
前記ディスプレイに表示された前記縮小画像がポインタ指定された場合に、前記文書ファイルにかかる画像上の処理領域を決定する処理領域決定ステップと、
前記処理領域内情報を前記文書ファイルから抽出する処理領域内情報抽出ステップと、
前記処理領域内情報抽出ステップにおいてが抽出した前記処理領域内情報を所定の大きさでディスプレイに表示する処理領域内情報表示ステップと、
備えたことを特徴とする画像表示方法。
【請求項１０】
文字認識ステップを有し、前記処理領域内情報抽出ステップにおいて抽出した前記処理領域内情報が文字コードで表されないイメージ文字であるときは当該イメージ文字を文字認識することを特徴とする請求項９に記載の画像表示方法。
【請求項１１】
前記縮小画像生成ステップにおいて生成した縮小画像を蓄積するとともに、前記処理領域内情報抽出ステップにより抽出した前記処理領域内情報を前記処理領域に対応させて所定蓄積手段に蓄積する処理領域内情報蓄積ステップと、
前記ディスプレイに表示された前記縮小画像における前記処理領域がポインタ指定された場合には、前記前記ポインタが指示した座標に対応する前記処理領域内情報が前記蓄積手段に蓄積されているか否かを検索する処理領域内情報検索ステップと、
を備え、
前記処理領域内情報検索ステップにおいて、前記蓄積手段に前記ポインタが指示した座標がに対応する前記処理領域内情報があることを検出したときは、処理領域決定ステップによる処理領域の決定をせずに前記処理領域内情報表示ステップにおいて当該処理領域内情報を前記ディスプレイに表示する、
ことを特徴とする請求項９または１０に記載の画像表示方法。
【請求項１２】
前記文書ファイル取得ステップにおいて取得した文書ファイルおよび／または前記縮小画像生成ステップにおいて生成した前記縮小画像についてフィルタ処理を行うフィルタ処理ステップを備えたことを特徴とする請求項９から１１の何れかに記載の画像表示装置。
【請求項１３】
前記フィルタ処理ステップにおいては、前記文書ファイルおよび／または前記縮小画像にコントラスト強調処理および／またはシャープ化処理を行うことを特徴とする請求項１２に記載の画像表示方法。
【請求項１４】
前記処理領域内情報表示ステップにおいては、前記処理領域内情報をポップアップ表示することを特徴とする請求項９から１３の何れかに記載の画像表示方法。
【請求項１５】
前記処理領域内情報表示ステップにおいては、前記処理領域内情報を、その全部または一部を前記縮小画像と重畳させて、または表示領域と重畳させずに表示することを特徴とする請求項９から１４の何れかに記載の画像表示方法。
【請求項１６】
前記処理領域内情報表示ステップにおいては、前記処理領域内情報を、所定の大きさで表示することを特徴とする請求項９から１５の何れかに記載の画像表示方法。
【請求項１７】
請求項９から１６の何れかに記載の各ステップを実行することを特徴とする画像表示プログラム。
【請求項１８】
請求項１７に記載の画像表示プログラムを格納したコンピュータに読み取り可能な記録媒体。
【請求項１９】
ディスプレイに複数の文書ファイルの縮小画像を表示する画像表示装置において、
画像ファイルを取得する画像ファイル取得手段と、
前記画像ファイル取得手段により取得した画像ファイルにかかる画像の縮小画像を生成する縮小画像生成手段と、
前記画像ファイル取得手段により取得した画像ファイルにかかる画像を分割して複数の領域を定めまたは前記画像ファイルにかかる画像上に少なくとも１つの領域を定める処理領域決定手段と、
前記複数の領域の１つまたは２つ以上の領域に含まれる情報を処理領内域情報として前記画像ファイルから抽出する処理領域内情報抽出手段と、
前記縮小画像生成手段が生成した縮小画像を蓄積するとともに、前記処理領域内情報抽出手段により抽出した処理領域内情報を前記領域に対応させ、または前記縮小画像における前記領域に対応させて蓄積する処理領域内情報蓄積手段と、
前記ディスプレイに表示された前記縮小画像における前記領域がポインタ指定された場合において、当該領域に対応する前記処理領域内情報を前記ディスプレイに表示する処理領域内情報検索手段と、
備えたことを特徴とする画像表示装置。
【請求項２０】
文字認識手段を有し、当該文字認識手段は前記処理領域内情報抽出手段が抽出した処理領域内情報が文字コードで表されないイメージ文字であるときは当該イメージ文字を文字認識し、前記処理領域内情報蓄積手段は、当該文字認識した情報を文字コードとして蓄積することを特徴とする請求項１９に記載の画像表示装置。
【請求項２１】
前記画像ファイル取得手段により取得した画像ファイルおよび／または前記縮小画像生成手段により生成した前記縮小画像についてフィルタ処理を行うフィルタ処理手段を備えたことを特徴とする請求項１９または２０に記載の画像表示装置。
【請求項２２】
前記フィルタ処理手段は、前記画像ファイルおよび／または前記縮小画像にコントラスト強調処理および／またはシャープ化処理を行うことを特徴とする請求項２１に記載の画像表示装置。
【請求項２３】
前記処理領域内情報検索手段は前記処理領域内情報をポップアップ表示することを特徴とする請求項１９から２２の何れかに記載の画像表示装置。
【請求項２４】
前記処理領域内情報表示手段は、前記処理領域内情報を、その全部または一部を前記縮小画像と重畳させて、または表示領域と重畳させずに表示することを特徴とする請求項１９から２３の何れかに記載の画像表示装置。
【請求項２５】
前記処理領域内情報表示手段は、前記処理領域内情報を、所定の大きさで表示することを特徴とする請求項１９から２４の何れかに記載の画像表示装置。
【請求項２６】
複数の縮小画像を表示する画像表示方法において、
画像ファイルを取得する画像ファイル取得ステップと、
前記画像ファイル取得ステップにおいて取得した画像ファイルにかかる画像の縮小画像を生成する縮小画像生成ステップと、
この取得した画像ファイルにかかる画像を分割して複数の領域を定めまたは前記画像ファイルにかかる画像上に少なくとも１つの領域を決定する処理領域決定ステップと、
これら複数の領域の１つまたは２つ以上の領域に含まれる情報を処理領域内情報として抽出する処理領域内情報抽出ステップと、
前記縮小画像を蓄積するとともに、前記処理領域内情報を前記領域に対応させ、または前記縮小画像における前記領域に対応させて蓄積する処理領域内情報蓄積ステップと、
表示された前記縮小画像における前記領域がポインタ指定された場合において、当該領域に対応する前記処理領域内情報を表示する処理領域内情報表示ステップと、
を実行することを特徴とする画像表示方法。
【請求項２７】
文字認識ステップを有し、前記処理領域内情報が文字コードで表されないイメージ文字であるときは当該イメージ文字を文字認識して、当該文字認識した情報を文字コードとして蓄積することを特徴とする請求項２６に記載の画像表示方法。
【請求項２８】
前記画像ファイルおよび／または前記縮小画像についてフィルタ処理を行うフィルタ処理ステップを備えたことを特徴とする請求項２６または２７に記載の画像表示方法。
【請求項２９】
前記フィルタ処理は、前記画像ファイルおよび／または前記縮小画像にコントラスト強調処理および／またはシャープ化処理であることを特徴とする請求項２８に記載の画像表示方法。
【請求項３０】
前記処理領域内情報はポップアップ表示されることを特徴とする請求項２６から２９の何れかに記載の画像表示方法。
【請求項３１】
前記処理領域内情報は、その全部または一部を前記縮小画像と重畳させて、または表示領域と重畳させずに表示されることを特徴とする請求項２６から３０の何れかに記載の画像表示方法。
【請求項３２】
前記処理領域内情報は、所定の大きさで表示されることを特徴とする請求項２６から３１の何れかに記載の画像表示方法。
【請求項３３】
請求項２６から３２の何れかに記載の各ステップを実行することを特徴とする画像表示プログラム。
【請求項３４】
請求項３３に記載の画像表示プログラムを格納したコンピュータに読み取り可能な記録媒体。
【発明の詳細な説明】
【０００１】
【発明の属する技術分野】
本発明は、文書ファイルにかかる画像が縮小画像で表示されている場合において、縮小画像上をポインタ等によりポイントしたときに当該ポイントされた部分の記載情報をポップアップ表示することができる画像表示技術に関し、特に縮小画像で表示された類似画像であっても容易に識別ができる画像表示装置、画像表示方法、画像表示プログラムおよび画像表示プログラムを格納した記録媒体に関する。
【０００２】
【従来の技術】
文書管理プログラムあるいはファイリングソフトウェア、たとえば、コンピュータで実行されるオペレーティングシステム上のプログラムや、アプリケーションプログラムの中にはサムネイル画像を並べて一覧表示できるのものがある。この種のプログラムでは、サムネイル画像がポインタ等により選択（指定）されると、文書ファイルに関連付けされたプログラムが起動し文書ファイルがにかかる画像が表示される。
【０００３】
ところで、複数の文書ファイルから特定の文書ファイルを探し出したい場合がある。文字のみからなる文書ファイルでは、文書内容の特徴がサムネイル画像には表われない。このため、各文書をサムネイル画像で並べて表示（一覧表示）したとしても、通常は、サムネイル画像のままでその内容を把握することは困難である。また、図形を含む文書画像の場合には、図形の特徴がサムネイルに表われていれば、容易に文書ファイルを特定することができる場合もあるが、複数の文書ファイルの中に、表示されている図形の形状が同一あるいは類似していたり、図形の頁上のレイアウトが同一または類似している場合には、所望の文書ファイルを特定することは極めて困難である。このため、サムネイル画像にかかる文書ファイルの内容を把握するための補助として、画像を拡大表示する表示技術がある。しかし、この表示技術では１つの文書ファイルごとに詳細表示の画面を開かなければならないという手間がある。
【０００４】
また、たとえばサムネイル一覧表示と詳細表示とを同一画面上に表示する表示技術も知られている。たとえば、画面の片側にサムネイル一覧を表示し、他方の側にポイントされたサムネイルにかかる文書ファイルの内容を詳細表示することもできる。しかし、この表示技術では、ＰＤＡ，携帯電話など表示領域が小さい環境においては、サムネイル一覧が小さくなり過ぎるし、文書ファイルの内容を詳細表示することができない。
具体的には、特許文献１には、画像メモリの有効利用とアプリケーション機能の融合化を図る廉価な複合画像システムにかかる表示技術が開示されている。また、特許文献２には、親画面に加えて子画面を同時に表示して編集操作を行う場合の効率および利便性を共に向上させる表示技術が開示されている。さらに、特許文献３には、問題および解答をポップアップで表示する、対話型学習応答手段を用いた表示技術が開示されている。
【０００５】
【特許文献１】
特開平０６−００６５４９号
【特許文献２】
特開平１０−３４００７５号
【特許文献３】
特開２０００−０８９６５号
【０００６】
【発明が解決しようとする課題】
しかし、特許文献１の表示技術は、画像編集機能や画像表示機能、さらにＯＣＲを含めたＡＩ機能を備えるデジタル複写機にかかるものであるが、類似画像を区別するための手段がないため、類似画像を区別することができない。また、特許文献２の表示技術では、編集中の画像から拡大縮小した画像をポップアップで表示することができるが、文字認識を行うものでないため、類似画像を素早く区別することはできない。さらに、特許文献３の表示技術は、文書管理ソフトで使用することを想定しておらず、画像をポップアップで表示するための手段を備えていない。
【０００７】
本発明は、縮小画像で表示したときに、縮小画像上をポインタ等によりポイントしたときに当該ポイントされた部分の記載情報をポップアップ表示することができ、特に縮小画像で表示された類似画像であっても容易に識別ができる文書ファイルの表示装置、表示方法、表示プログラム、この表示プログラムを記憶した記録媒体を提供することを目的とする。
【０００８】
【課題を解決するための手段】
本発明は、第１態様の発明と第２態様の発明からなる。
第１態様では、原則的に画像ファイルの処理領域内情報は予め作成されておらず、ポインタにより指定したときに、縮小画像上の座標に対応する処理領域内情報が生成され、この情報がディスプレイに表示される。
第２態様では、画像ファイルの処理領域内情報が、処理領域内情報蓄積手段（処理領域内情報データベース）に記憶されており、ポインタにより指定した縮小画像上の座標に対応する処理領域内情報がディスプレイに表示される。
【０００９】
本発明の第１態様における画像表示装置は、ディスプレイに文書ファイルの縮小画像を表示するもので、文書ファイルを取得する文書ファイル取得手段と、前記文書ファイル取得手段により取得した文書ファイルにかかる画像の縮小画像を生成する縮小画像生成手段と、前記ディスプレイに表示された前記縮小画像がポインタ指定された場合に、前記文書ファイルにかかる画像上の処理領域を決定する処理領域決定手段と、前記処理領域内の情報を前記文書ファイルから抽出する処理領域内情報抽出手段と、前記処理領域内情報抽出手段が抽出した処理領域内情報を所定の大きさでディスプレイに表示する処理領域内情報表示手段と備えたことを特徴とする。
【００１０】
本発明の第１態様における画像表示装置は、さらに文字認識手段を有し、当該文字認識手段は前記処理領域内情報抽出手段が抽出した前記処理領域内情報が文字コードで表されないイメージ文字であるときは当該イメージ文字を文字認識することができる。
【００１１】
本発明の第１態様における画像表示装置は、前記縮小画像生成手段が生成した縮小画像を蓄積するとともに、前記処理領域内情報抽出手段により抽出した前記処理領域内情報を前記処理領域に対応させて蓄積する処理領域内情報蓄積手段と、前記ディスプレイに表示された前記縮小画像における前記領域がポインタ指定された場合には、前記処理領域内情報蓄積手段に前記ポインタが指示した座標に対応する前記処理領域内情報があるか否かを検索する処理領域内情報検索手段とを備えることができ、前記処理領域内情報検索手段が、前記処理領域内情報蓄積手段に前記ポインタが指示した座標がに対応する前記処理領域内情報があることを検出したときは、前記処理領域内情報表示手段は処理領域決定手段による処理領域の決定をせずに当該処理領域内情報を前記ディスプレイに表示することを特徴とする。
【００１２】
本発明の第１態様における画像表示装置では、前記文書ファイル取得手段により取得した文書ファイルおよび／または前記縮小画像生成手段により生成した前記縮小画像についてフィルタ処理を行うフィルタ処理手段を有することができる。これにより、視認性が向上し、また、領域識別の失敗率を減少する。
【００１３】
本発明の第１態様における画像表示装置では、前記フィルタ処理手段は前記文書ファイルおよび／または前記縮小画像にコントラスト強調処理および／またはシャープ化処理を行うことができる。
【００１４】
本発明の第１態様における画像表示装置では、前記処理領域内情報表示手段は前記処理領域内情報をポップアップ表示することができる。
【００１５】
本発明の第１態様における画像表示装置では、前記処理領域内情報表示手段は、前記処理領域内情報を、その全部または一部を前記縮小画像と重畳させて、または表示領域と重畳させずに表示することができる。
【００１６】
本発明の第１態様における画像表示装置では、前記処理領域内情報表示手段は、前記処理領域内情報を、所定の大きさで表示することができる。
【００１７】
本発明の第１態様における画像表示方法は、ディスプレイに文書ファイルの縮小画像を表示するものであって、文書ファイルを取得する文書ファイル取得ステップと、前記文書ファイル取得ステップにおいて取得した文書ファイルにかかる画像の縮小画像を生成する縮小画像生成ステップと、前記ディスプレイに表示された前記縮小画像がポインタ指定された場合に、前記文書ファイルにかかる画像上の処理領域を決定する処理領域決定ステップと、前記処理領域内情報を前記文書ファイルから抽出する処理領域内情報抽出ステップと、前記処理領域内情報抽出ステップにおいてが抽出した前記処理領域内情報を所定の大きさでディスプレイに表示する処理領域内情報表示ステップとを備えたことを特徴とする。
【００１８】
本発明の第１態様における画像表示方法は、文字認識ステップを有し、前記処理領域内情報抽出ステップにおいて抽出した前記処理領域内情報が文字コードで表されないイメージ文字であるときは当該イメージ文字を文字認識することができる。
【００１９】
本発明の第１態様における画像表示方法は、前記縮小画像生成ステップにおいて生成した縮小画像を蓄積するとともに、前記処理領域内情報抽出ステップにより抽出した前記処理領域内情報を前記処理領域に対応させて所定蓄積手段に蓄積する処理領域内情報蓄積ステップと、前記ディスプレイに表示された前記縮小画像における前記処理領域がポインタ指定された場合には、前記前記ポインタが指示した座標に対応する前記処理領域内情報が前記蓄積手段に蓄積されているか否かを検索する処理領域内情報検索ステップとを備え、前記処理領域内情報検索ステップにおいて、前記蓄積手段に前記ポインタが指示した座標がに対応する前記処理領域内情報があることを検出したときは、処理領域決定ステップによる処理領域の決定をせずに前記処理領域内情報表示ステップにおいて当該処理領域内情報を前記ディスプレイに表示することを特徴とする。
【００２０】
本発明の第１態様における画像表示方法は、前記文書ファイル取得ステップにおいて取得した文書ファイルおよび／または前記縮小画像生成ステップにおいて生成した前記縮小画像についてフィルタ処理を行うフィルタ処理ステップを備えることができる。
【００２１】
本発明の第１態様における画像表示方法では、前記フィルタ処理ステップにおいては、前記文書ファイルおよび／または前記縮小画像にコントラスト強調処理および／またはシャープ化処理を行うことができる。
【００２２】
本発明の第１態様における画像表示方法では、前記処理領域内情報表示ステップにおいては、前記処理領域内情報をポップアップ表示することができる。
【００２３】
本発明の第１態様における画像表示方法は、前記処理領域内情報表示ステップにおいて、前記処理領域内情報を、その全部または一部を前記縮小画像と重畳させて、または表示領域と重畳させずに表示することができる。
【００２４】
本発明の第１態様における画像表示方法では、前記処理領域内情報表示ステップにおいて、前記処理領域内情報を、所定の大きさで表示することができる。
【００２５】
本発明の第１態様の画像表示プログラムは、上記の各ステップを実行することができる。
【００２６】
本発明の第１態様の記録媒体は、上記の画像表示プログラムを格納したコンピュータに読み取り可能な記憶装置である。
【００２７】
本発明の第２態様の画像表示装置は、ディスプレイに複数の文書ファイルの縮小画像を表示するものであって、画像ファイルを取得する画像ファイル取得手段と、前記画像ファイル取得手段により取得した画像ファイルにかかる画像の縮小画像を生成する縮小画像生成手段と、前記画像ファイル取得手段により取得した画像ファイルにかかる画像を分割して複数の領域を定めまたは前記画像ファイルにかかる画像上に少なくとも１つの領域を定める処理領域決定手段と、前記複数の領域の１つまたは２つ以上の領域に含まれる情報を処理領内域情報として前記画像ファイルから抽出する処理領域内情報抽出手段と、前記縮小画像生成手段が生成した縮小画像を蓄積するとともに、前記処理領域内情報抽出手段により抽出した処理領域内情報を前記領域に対応させ、または前記縮小画像における前記領域に対応させて蓄積する処理領域内情報蓄積手段と、前記ディスプレイに表示された前記縮小画像における前記領域がポインタ指定された場合において、当該領域に対応する前記処理領域内情報を前記ディスプレイに表示する処理領域内情報検索手段とを備えたことを特徴とする。
【００２８】
本発明の第２態様の画像表示装置は、文字認識手段を有し、当該文字認識手段は前記処理領域内情報抽出手段が抽出した処理領域内情報が文字コードで表されないイメージ文字であるときは当該イメージ文字を文字認識し、前記処理領域内情報蓄積手段は、当該文字認識した情報を文字コードとして蓄積することができる。
【００２９】
本発明の第２態様の画像表示装置は、前記画像ファイル取得手段により取得した画像ファイルおよび／または前記縮小画像生成手段により生成した前記縮小画像についてフィルタ処理を行うフィルタ処理手段を備えることができる。
【００３０】
本発明の第２態様の画像表示装置では、前記フィルタ処理手段は、前記画像ファイルおよび／または前記縮小画像にコントラスト強調処理および／またはシャープ化処理を行うことができる。
【００３１】
本発明の第２態様の画像表示装置では、前記処理領域内情報検索手段は前記処理領域内情報をポップアップ表示することができる。
【００３２】
本発明の第２態様の画像表示装置では、前記処理領域内情報表示手段は、前記処理領域内情報を、その全部または一部を前記縮小画像と重畳させて、または表示領域と重畳させずに表示することができる。
【００３３】
本発明の第２態様の画像表示装置では、前記処理領域内情報表示手段は、前記処理領域内情報を、所定の大きさで表示することができる。
【００３４】
本発明の第２態様の画像表示方法は、複数の縮小画像を表示するものであって、画像ファイルを取得する画像ファイル取得ステップと、前記画像ファイル取得ステップにおいて取得した画像ファイルにかかる画像の縮小画像を生成する縮小画像生成ステップと、この取得した画像ファイルにかかる画像を分割して複数の領域を定めまたは前記画像ファイルにかかる画像上に少なくとも１つの領域を決定する処理領域決定ステップと、これら複数の領域の１つまたは２つ以上の領域に含まれる情報を処理領域内情報として抽出する処理領域内情報抽出ステップと、前記縮小画像を蓄積するとともに、前記処理領域内情報を前記領域に対応させ、または前記縮小画像における前記領域に対応させて蓄積する処理領域内情報蓄積ステップと、表示された前記縮小画像における前記領域がポインタ指定された場合において、当該領域に対応する前記処理領域内情報を表示する処理領域内情報表示ステップとを実行することを特徴とする。
【００３５】
本発明の第２態様の画像表示方法は、文字認識手段ステップを有し、前記処理領域内情報が文字コードで表されないイメージ文字であるときは当該イメージ文字を文字認識して、当該文字認識した情報を文字コードとして蓄積することができる。
【００３６】
本発明の第２態様の画像表示方法は、前記画像ファイルおよび／または前記縮小画像についてフィルタ処理を行うフィルタ処理ステップを備えることができる。
【００３７】
本発明の第２態様の画像表示方法では、前記フィルタ処理は、前記画像ファイルおよび／または前記縮小画像にコントラスト強調処理および／またはシャープ化処理とすることができる。
【００３８】
本発明の第２態様の画像表示方法では、前記処理領域内情報はポップアップ表示されるようにできる。
【００３９】
本発明の第２態様の画像表示方法では、前記処理領域内情報は、その全部または一部を前記縮小画像と重畳させて、または表示領域と重畳させずに表示することができる。
【００４０】
本発明の第２態様の画像表示方法では、前記処理領域内情報は、所定の大きさで表示することができる。
【００４１】
本発明の第２態様の画像表示プログラムは、上記の各ステップを実行することができる。
【００４２】
本発明の第２態様の記録媒体は、上記の画像表示プログラムを格納したコンピュータに読み取り可能な記憶装置である。
【００４３】
【発明の実施の形態】
図１は第１態様における画像表示装置の構成を示す回路構成図である。
図１において、画像表示装置１は、ＣＰＵ１０１と、ＲＯＭ１０２と、ＲＡＭ１０３と、イメージスキャナ１０４と、ディスプレイ１０５と、操作デバイス（キーボード・マウス）１０６とからなる。
【００４４】
ＣＰＵ１０１は、画像表示装置１の全体を統括して制御する。
ＲＯＭ１０２にはオペレーティング・システム（ＯＳ）、スキャナドライバ、ディスプレイドライバ、ＯＳに依存する各種パラメータ等が格納されている。
ＲＡＭ１０３には、画像ファイル取得プログラム、縮小画像生成プログラム、フィルタ処理プログラム、処理領域決定プログラム、処理領域内情報抽出プログラム、文字認識プログラムが格納されている。
【００４５】
イメージスキャナ１０４は、文書ファイルをビットマップイメージとして取得する。なお、本実施形態ではイメージスキャナ１０４の付属ソフトウェアは画像ファイル取得プログラムに含まれている。
【００４６】
ディスプレイ１０５は、通常使用されるＣＲＴ，液晶ディスプレイ等である。ディスプレイ１０５は、縮小画像、処理領域内情報にかかる画像が表示される。縮小画像は、縮小画像生成プログラムにより生成される。ディスプレイ１０５に表示される縮小画像にはフィルタ処理プログラムによる処理が施される。また、ディスプレイ１０５に表示される処理領域内情報にかかる画像にもフィルタ処理が施される。
操作デバイス１０６は、キーボード，マウス等であり、ディスプレイ１０５に表示された縮小画像上の点を指定するために使用される。
【００４７】
図２は、画像表示装置１の一構成例を示す機能ブロック図である。図２において、画像表示装置１は、文書ファイル取得手段１２１と、縮小画像生成手段１２２と、フィルタ処理手段１２３と、処理領域決定手段１２４と、処理領域内情報抽出手段１２５と、文字認識手段１２６と、ポイント手段１２７と、処理領域内情報表示手段１２８とを備えている。
【００４８】
文書ファイル取得手段１２１は、典型的には、図１に示したようなイメージスキャナ、あるいはワードプロセッサ等の文書ファイル作成手段（アプリケーションプログラム）から文書ファイルを取得することができる。縮小画像生成手段１２２は、文書ファイル取得手段１２１により取得した画像の縮小処理を行う。たとえば、縮小画像を、１２８ドット×１２８ドットの定型の縮小画像とすることができ、この場合の文書ファイルに対する変倍比ｐ（０＜ｐ＜１）はパラメータとして縮小画像生成プログラムが記憶する。
【００４９】
フィルタ処理手段１２３は、縮小画像生成手段１２２が生成した縮小画像、または処理領域決定手段１２４による処理が行われる前の文書ファイルにかかる画像に対して、コントラスト強調処理・シャープ化処理などのフィルタ処理を行う。
処理領域決定手段１２４は、ディスプレイ１０５に表示された縮小画像がポインタ指定された場合に、文書ファイルにかかる画像上の処理領域Ｒを決定する。
【００５０】
処理領域内情報抽出手段１２５は、図１のＲＡＭ１０３に格納された処理領域内情報抽出に対応するもので、文書ファイルから処理領域内情報を抽出する。
文字認識手段１２６は、図１のＲＡＭ１０３に格納された文字認識プログラムに対応するもので、処理領域内情報抽出手段１２５が抽出した処理領域内情報が文字コードで表されないイメージ文字であるときはこれを文字認識し、これを文字コードに変換する。
【００５１】
ポイント手段１２７は、図１の操作デバイス１０６に対応するもので、ポイント手段１２７により指定された座標は処理領域決定手段１２４に送られる。
ディスプレイ１０５には、縮小画像が表示される。また、処理領域内情報表示手段１２８は、ポイント手段１２７により指定された座標に対応する処理領域内情報をポップアップ等により表示する。
【００５２】
以下、図１，図２に示した画像表示装置１の動作を図３のフローチャートにより説明する。
文書ファイル取得手段１２１が文書ファイルを取得する（ここでは、イメージ画像などの文書ファイルがイメージスキャナ１０４により読み取られる）（Ｓ１０１）。
【００５３】
縮小画像生成手段１２２は文書ファイルにかかる画像の縮小画像（たとば、サムネイル画像）を生成する（Ｓ１０２）。たとえば、縮小画像は１２８ドット×１２８ドットの大きさのサムネイル画像とすることができる。
【００５４】
フィルタ処理手段１２３は文書ファイルにかかる画像および縮小画像にコントラスト強調処理または／およびシャープ化処理（エッジ処理）などのフィルタ処理を施す（Ｓ１０３）。
このフィルタ処理を施した文書ファイルにかかる画像および縮小画像は、所定メモリに格納される（Ｓ１０４）。また、このフィルタ処理を施した縮小画像は、図１のディスプレイ１０５に表示される（Ｓ１０５）。
【００５４】
ここで、ディスプレイ１０５に表示された縮小画像の座標がポイント手段１２７により指定されたときは（Ｓ１０６の「ＹＥＳ」）、処理領域決定手段１２４は、通知された座標が属する処理領域Ｒを決定する（Ｓ１０７）。
【００５５】
次に、処理領域内情報抽出手段１２５は、処理領域内の情報を解析し、当該処理領域Ｒの画像を抽出し、処理領域内情報表示手段１２８は処理領域Ｒが写真・図形により構成されるときは（Ｓ１０８の「写真・図形」）当該写真・図形を処理領域内情報としてディスプレイ１０５に表示する（Ｓ１１０）。
【００５６】
また、処理領域Ｒがイメージ文字により構成されるときは、文字認識手段１２６により文字認識を行い（Ｓ１０９）、文字認識した文字列をディスプレイに表示するとともに（Ｓ１１０）。
【００５７】
図４は第１態様における画像表示装置の他の構成を示す回路構成図である。
図４において、画像表示装置２は、ＣＰＵ２０１と、ＲＯＭ２０２と、ＲＡＭ２０３と、イメージスキャナ２０４と、ディスプレイ２０５と、操作デバイス（キーボード・マウス）２０６と、処理領域内情報データベース２０７とからなる。
ＣＰＵ２０１，ＲＯＭ２０２は、図１のＣＰＵ１０１，ＲＯＭ１０２と同じである。ＲＡＭ２０３には、画像ファイル取得プログラム、縮小画像生成プログラム、フィルタ処理プログラム、処理領域決定プログラム、処理領域内情報抽出プログラム、文字認識プログラム、処理領域内情報蓄積プログラム、処理領域検索プログラムが格納されている。
【００５８】
イメージスキャナ２０４，ディスプレイ２０５，操作デバイス２０６は、図１のイメージスキャナ１０４，ディスプレイ１０５，操作デバイス１０６と同じである。
【００５９】
処理領域内情報データベース２０７は、フロッピーディスク・ＣＤ−ＲＯＭ／ＤＶＤ−ＲＯＭ等の光メディア、ハードディスク等の記憶媒体であり、処理領域内情報蓄積プログラムにより後述する処理領域内情報が蓄積される。
【００６０】
図５は、第１態様における画像表示装置の他の構成を示す機能ブロック図である。
図５において、画像表示装置２は、文書ファイル取得手段２２１と、縮小画像生成手段２２２と、フィルタ処理手段２２３と、処理領域決定手段２２４と、処理領域内情報抽出手段２２５と、文字認識手段２２６と、ポイント手段２２７と、処理領域内情報表示手段２２８と、処理領域内情報蓄積手段２２９と、処理領域検索手段２３０とを備えている。
【００６１】
文書ファイル取得手段２２１、縮小画像生成手段２２２、フィルタ処理手段２２３は、図２の文書ファイル取得手段１２１、縮小画像生成手段１２２、フィルタ処理手段１２３と同じである。ここで、文書ファイル取得手段２２１、縮小画像生成手段２２２、フィルタ処理手段２２３は、図４のＲＡＭ２０３に格納された画像文書ファイル取得プログラム、縮小画像生成プログラム、フィルタ処理プログラムに対応する。
【００６２】
処理領域決定手段２２４は、図４のＲＡＭ２０３に格納された処理領域決定プログラムに対応すあるもので、ディスプレイに表示された縮小画像がポインタ指定された場合において、処理領域検索手段２３０からポインタが示す座標に対応する処理領域Ｒが処理領域内情報蓄積手段２２９に存在しない旨の通知があったときは、文書ファイルにかかる画像上の処理領域Ｒを決定する。
【００６３】
処理領域内情報抽出手段２２５、文字認識手段２２６は、図２の処理領域内情報抽出手段１２５、文字認識手段１２６と同じである。ここで、処理領域内情報抽出手段２２５、文字認識手段２２６は、図４のＲＡＭ２０３に格納された処理領域内情報抽出プログラムに対応する。
【００６４】
ポイント手段２２７，処理領域内情報表示手段２２８は、図２のポイント手段２２７，処理領域内情報表示手段２２８と同じである。ポイント手段２２７は、図４の操作デバイス２０６に対応する。
【００６５】
処理領域内情報蓄積手段２２９は、処理領域内情報データベース２０７に対応するもので、処理領域内情報抽出手段２２５により抽出した処理領域内情報（文字認識手段２２６による認識結果（認識文字）を含む）をデータベースに
保存する。
【００６６】
処理領域検索手段２３０は、図４のＲＡＭ２０３の処理領域検出プログラムに対応するもので、ディスプレイ２０５に表示された縮小画像の座標がポイント手段２２７により指定されたときは、処理領域内情報蓄積手段２２９内に当該座標に対応する処理領域内情報が存在するか否かを検出する。存在するときは、処理領域内情報表示手段２２８は、これをディスプレイ２０５に表示し、存在しないときは処理領域決定手段２２４に処理領域決定の実行を指示する。
【００６７】
以下、図４，図５に示した画像表示装置２の動作を図６のフローチャートにより説明する。
文書ファイル取得手段２２１が文書ファイルを取得する（ここでは、イメージ画像などの文書ファイルがイメージスキャナ２０４により読み取られる）（Ｓ２０１）。
縮小画像生成手段２２２は文書ファイルにかかる画像の縮小画像を生成する（Ｓ２０２）。
【００６８】
フィルタ処理手段２２３は文書ファイルおよび縮小画像にコントラスト強調処理または／およびシャープ化処理（エッジ処理）などのフィルタ処理を施す（Ｓ２０３）。
このフィルタ処理を施した文書ファイルにかかる画像および縮小画像は、所定メモリに格納される（Ｓ２０４）。また、このフィルタ処理を施した縮小画像は、図４のディプレイ２０５に表示される（Ｓ２０５）。
【００６９】
ここで、ディプレイ２０５に表示された縮小画像の座標がポイント手段２２７により指定されたときは（Ｓ２０６の「ＹＥＳ」）、処理領域検索手段２３０は、当該座標に対応する処理領域内情報が存在するか否かを検出する（Ｓ２０７）。処理領域検索手段２１０が、当該処理領域内情報が存在することを検出したとき（Ｓ２０７の「ＹＥＳ」）は、処理領域内情報表示手段２２８は処理領域内情報をディスプレイ２０５に表示する（Ｓ２１１）。処理領域検索手段２１０は、対応する処理領域内情報が存在しないとき（Ｓ２０７の「ＮＯ」）は処理領域決定手段２２４に、処理領域内情報蓄積手段２２９に対応する処理領域内情報が存在しない旨を通知する。処理領域決定手段２２４は、この通知を受けたときは、ポインタが示す座標に対応する処理領域Ｒを決定する（Ｓ２０８）。
【００７０】
ステップＳ２０７での判断は、以下のように行われる。
すなわち、ユーザがディスプレイ２０５に表示された縮小画像上でポインタにより座標を指定したときは、処理領域検索手段２３０は、取得した座標を、文書ファイルにかかる画像における座標に変換する。すなわち、縮小画像の左上隅の座標を始点座標ｍ０（ｘ０，ｙ０）とし、文書ファイルの左上隅の座標を始点座標Ｍ０（Ｘ０，Ｙ０）としたときに、縮小画像上の点ｍ（ｘ０＋ｘ，ｙ０＋ｙ）を、Ｍ（Ｘ０＋Ｘ，Ｙ０＋Ｙ）に変換する。ここで、Ｘ＝ｘ／ｐ，Ｙ＝ｙ／ｐである。
【００７１】
登録されている処理領域Ｒの何れかに、Ｍ（Ｘ０＋Ｘ，Ｙ０＋Ｙ）が含まれるとき（後述するＵｃ１，Ｕｃ２，・・・，Ｕｃｎに含まれているとき）は該当する領域内情報が存在すると判断し、処理領域Ｒの何れにもＭ（Ｘ０＋Ｘ，Ｙ０＋Ｙ）が含まれないときは、該当する領域内情報が存在しないと判断する。
【００７２】
次に、処理領域内情報抽出手段２２５は、処理領域内の情報を解析し、処理領域Ｒが写真・図形により構成されるときは（Ｓ２０９）当該写真・図形を処理領域内情報としてディスプレイに表示するとともに（Ｓ２１１）、写真・図形を前記処理領域内情報として処理領域Ｒに関連付けて処理領域内情報蓄積手段２２９に蓄積する（Ｓ２１２）。
【００７３】
また、処理領域Ｒがイメージ文字により構成されるときは、文字認識手段２２６により文字認識を行い（Ｓ２１０）、文字認識した文字列をディスプレイに表示するとともに（Ｓ２１１）、写真・図形を処理領域内情報として処理領域Ｒに関連付けて処理領域内情報蓄積手段２２９に蓄積する（Ｓ２１２）。
【００７４】
ステップＳ２１２における蓄積は、たとえば抽出した処理領域Ｒを、矩形単位領域Ｕｃ１，Ｕｃ２，・・・，Ｕｃｎの集合として構成する。ここでｃは、処理領域ＲのＩＤである。
各矩形単位領域Ｕｃｋ（ｋ：１，２，・・・，ｎ）は、領域Ｒの左上の座標を基準としたＸ軸範囲情報とＹ軸範囲情報とにより定義されているものとする。
【００７５】
たとえば、各領域は、
Ｘａ１≦（Ｕｃ１のＸ座標）＜Ｘｂ１，
Ｙａ１≦（Ｕｃ１のＹ座標）＜Ｙｂ１
Ｘａ２≦（Ｕｃ２のＸ座標）＜Ｘｂ２，
Ｙａ２≦（Ｕｃ２のＹ座標）＜Ｙｂ２
・・・
Ｘａｎ≦（ＵｃｎのＸ座標）＜Ｘｂｎ，
Ｙａｎ≦（ＵｃｎのＹ座標）＜Ｙｂｎ
のように定義される。各領域の蓄積情報は、処理領域Ｒの画像とともに処理領域内情報蓄積手段２２９に蓄積される。
【００７６】
図７は第２態様における画像表示装置の一構成例を示す回路構成図である。
第２態様では、画像ファイルの処理領域内情報が、処理領域内情報蓄積手段（処理領域内情報データベース）に記憶されており、ポインタにより指定した縮小画像上の座標に対応する処理領域内情報がディスプレイに表示される。
【００７７】
図７において、画像表示装置３は、ＣＰＵ３０１と、ＲＯＭ３０２と、ＲＡＭ３０３と、イメージスキャナ３０４と、ディスプレイ３０５と、操作デバイス（キーボード・マウス）３０６と、処理領域内情報データベース３０７とからなる。
ＣＰＵ３０１，ＲＯＭ３０２は、図１のＣＰＵ１０１，ＲＯＭ１０２と同じである。ＲＡＭ３０３には、画像ファイル取得プログラム、縮小画像生成プログラム、フィルタ処理プログラム、処理領域決定プログラム、処理領域内情報抽出プログラム、文字認識プログラム、処理領域内情報蓄積プログラム、処理領域検索プログラムが格納されている。
【００７８】
イメージスキャナ３０４，ディスプレイ３０５，操作デバイス３０６は、図１のイメージスキャナ１０４，ディスプレイ１０５，操作デバイス１０６と同じである。
【００７９】
処理領域内情報データベース３０７は、ハードディスク等の大容量記憶媒体であり、処理領域内情報蓄積プログラムにより後述する処理領域内情報が蓄積される。
【００８０】
図８は、画像表示装置３の機能ブロック図である。図８において、画像表示装置３は、文書ファイル取得手段３２１と、縮小画像生成手段３２２と、フィルタ処理手段３２３と、処理領域決定手段３２４と、処理領域内情報抽出手段３２５と、文字認識手段３２６と、ポイント手段３２７と、処理領域内情報表示手段３２８と、処理領域内情報蓄積手段３２９と、処理領域検索手段３３０とを備えている。
【００８１】
文書ファイル取得手段３２１、縮小画像生成手段３２２、フィルタ処理手段３２３は、図２の文書ファイル取得手段１２１、縮小画像生成手段１２２、フィルタ処理手段１２３と同じである。ここで、文書ファイル取得手段３２１、縮小画像生成手段３２２、フィルタ処理手段３２３は、図７のＲＡＭ３０３に格納された画像文書ファイル取得プログラム、縮小画像生成プログラム、フィルタ処理プログラムに対応する。
【００８２】
処理領域決定手段３２４は、図７のＲＡＭ３０３に格納された処理領域決定プログラムに対応すあるもので、ディスプレイに表示された縮小画像がポインタ指定された場合には、文書ファイルにかかる画像上の処理領域Ｒを決定する。
【００８３】
処理領域内情報抽出手段３２５、文字認識手段３２６は、図２の処理領域内情報抽出手段１２５、文字認識手段１２６と同じである。ここで、処理領域内情報抽出手段３２５、文字認識手段３２６は、図７のＲＡＭ３０３に格納された処理領域内情報抽出プログラムに対応する。
【００８４】
ポイント手段３２７，処理領域内情報表示手段３２８は、図２のポイント手段１２７，処理領域内情報表示手段１２８と同じである。ポイント手段３２７は、図７の操作デバイス３０６に対応する。
【００８５】
処理領域内情報蓄積手段３２９は、図７の処理領域内情報データベース３０７に対応するもので、処理領域内情報抽出手段３２５により抽出した処理領域内情報（文字認識手段３２６による認識結果（認識文字）を含む）をデータベースに保存する。
【００８６】
処理領域検出手段３１０は、図７のＲＡＭ３０３の処理領域検出プログラムに対応するもので、ディスプレイ３０５に表示された縮小画像の座標がポイント手段３２７により指定されたときは、処理領域決定手段３２４に処理領域決定の実行を指示する。
【００８７】
以下、図７，図８に示した画像表示装置３の動作を図９，図１０のフローチャートにより説明する。
【００８８】
図９は、図７および図８に記載の画像表示装置の処理領域内情報の蓄積処理を示すフローチャートである。
処理領域内情報の蓄積に際しては、まず、文書ファイル取得手段３２１が文書ファイルを取得する（ここでは、イメージ画像などの文書ファイルがイメージスキャナ３０４により読み取られる）（Ｓ３０１）。
縮小画像生成手段３２２は文書ファイルにかかる画像の縮小画像を生成する（Ｓ３０２）。
フィルタ処理手段３２３は文書ファイルおよび縮小画像にコントラスト強調処理または／およびシャープ化処理（エッジ処理）などのフィルタ処理を施す（Ｓ３０３）。
【００８９】
このフィルタ処理を施した文書ファイルにかかる画像および縮小画像は、所定メモリに格納される（Ｓ３０４）。
処理領域決定手段３２４は、画像ファイルにかかる画像を分割して、処理領域Ｒ１〜ＲＭを決定する（Ｓ３０５）。
【００９０】
処理領域内情報抽出手段３２５は、処理領域Ｒｑ（ｑ＝１，２，・・・，ｍ）を１つ決め、処理領域情報の抽出を開始する（Ｓ３０６）。処理領域内情報抽出手段３２５は、処処理領域内の情報を解析し、処理領域Ｒが写真・図形により構成されるときは（Ｓ３０７）、当該写真・図形を前記処理領域内情報として処理領域Ｒｑに関連付けて処理領域内情報蓄積手段３２９に蓄積する（Ｓ３０９）。
【００９１】
また、処理領域Ｒｑがイメージ文字により構成されるときは（Ｓ３０７）、文字認識手段３２６により文字認識を行い（Ｓ３０８）、認識した文字を処理領域内情報として処理領域Ｒｑに関連付けて処理領域内情報蓄積手段３２９に蓄積する（Ｓ３０９）。
【００９２】
ステップＳ３０９における蓄積に際しては、たとえば抽出した処理領域Ｒｑを、矩形単位領域Ｕｃｑ１，Ｕｃｑ２，・・・，Ｕｃｑｎの集合として構成する。ここでｃｑは、処理領域ＲｑのＩＤである。
【００９３】
各矩形単位領域Ｕｃｑｋ（ｋ：１，２，・・・，ｎ）は、領域Ｒの左上の座標を基準としたＸ軸範囲情報とＹ軸範囲情報とにより定義されているものとする。
たとえば、各領域は、
Ｘａｑ１≦（Ｕｃｑ１のＸ座標）＜Ｘｂｑ１，
Ｙａｑ１≦（Ｕｃｑ１のＹ座標）＜Ｙｂｑ１
Ｘａｑ２≦（Ｕｃｑ２のＸ座標）＜Ｘｂｑ２，
Ｙａｑ２≦（Ｕｃｑ２のＹ座標）＜Ｙｂｑ２
・・・
Ｘａｑｎ≦（ＵｃｑｎのＸ座標）＜Ｘｂｑｎ，
Ｙａｑ２≦（ＵｃｑｎのＹ座標）＜Ｙｂｑｎ
のように定義される。各領域の蓄積情報は、処理領域Ｒｑの画像とともに処理領域内情報蓄積手段３２９に蓄積される。
上記の処理を全ての処理領域Ｒｘｎについて繰り返して行う（Ｓ３１０）。
【００９４】
図１０は、図７および図８に記載の画像表示装置の処理領域内情報の表示処理を示すフローチャートである。フィルタ処理を施した縮小画像がディスプレイ３０５に表示されているものとする（Ｓ３２１）。ユーザが、縮小画像上の適宜の位置（座標）をポイント手段３２７を用いて指定すると（Ｓ３２２）、処理領域検索手段３３０は処理領域内情報蓄積手段３２９からポインタで指定された座標が属する処理領域Ｒｑを検索し（Ｓ３２３）、処理領域内情報表示手段３２８は、これを図７のディスプレイ３０５に表示する（Ｓ３２４）。
【００９５】
ステップＳ３２４での処理は、以下のように行われる。
すなわち、ユーザがディスプレイ３０５に表示された縮小画像上でポインタにより座標を指定したときは、処理領域検索手段３３０は、取得した座標を、文書ファイルにかかる画像における座標に変換する。すなわち、縮小画像の左上隅の座標を始点座標ｍ０（ｘ０，ｙ０）とし、文書ファイルの左上隅の座標を始点座標Ｍ０（Ｘ０，Ｙ０）としたときに、縮小画像上の点ｍ（ｘ０＋ｘ，ｙ０＋ｙ）を、Ｍ（Ｘ０＋Ｘ，Ｙ０＋Ｙ）に変換する。ここで、Ｘ＝ｘ／ｐ，Ｙ＝ｙ／ｐである。
Ｍ（Ｘ０＋Ｘ，Ｙ０＋Ｙ）が含まれる処理領域（前述したＵｃｑ１，Ｕｃｑ２，・・・，Ｕｃｑｎの何れか）にかかる処理領域情報が検索結果となる。
【００９６】
図１１に、ファイル検索等により類似した画面の複数の文書ファイルを縮小画像により表示した例を示す。ユーザは、縮小画像を見ただけでは、文書ファイルの内容が把握できない。
【００９７】
ユーザが、ポインタＰを縮小画像上に置くと（あるいは、縮小画像上に置いてクリックすると）、図１２（Ａ），（Ｂ）、図１３（Ａ），（Ｂ）に示すように、ポイントした部分にかかる領域の処理領域情報がポップアップ表示される。たとえば、表示されたものが文字である場合、１文字あたりの画素数を１０〜１２になるように変倍調整することができる。
【００９８】
図１２（Ａ）では、ポインタＰにより指定した部分上にポップアップ表示が行われているため、ポインタＰは表示されていない。この場合には、処理領域内情報は、縮小画像に重ねて表示しているので表示領域が狭いＰＤＡ，携帯型電話等における表示が可能となる。
【００９９】
図１２（Ｂ）では、ポップアップ表示はポインタＰにより指定した部分とは違う位置になされている。
【０１００】
図１３（Ａ）では、図形がポップアップ表示されており、図１３（Ｂ）では、処理領域内情報は別ウィンドウに表示されている。
【０１０１】
本発明では、処理領域内表示の解像度（表示の大きさ）をユーザが適宜指定するようにしてもよい。この場合、ユーザが文書ファイルにデフォルトで設定されている解像度と異なる解像度で処理領域内情報を表示・蓄積することを指定したときには、当該解像度の画像を作成してこれにより処理領域内情報を表示・蓄積してもよい。また、文書ファイルが異なる解像度の画像を備えている場合には、ユーザがどちらの解像度の画像による表示・蓄積を行うかを指定できるようにしてもよい。
【０１０２】
【発明の効果】
文書ファイルにかかる画像が縮小画像で表示されている場合において、縮小画像上をポインタ等によりポイントしたときに当該ポイントされた部分の記載情報をポップアップ表示することができる。
特に、文書ファイルが縮小画像で表示された類似画像であっても、容易に文書ファイルの識別ができる。
【図面の簡単な説明】
【図１】第１態様における画像表示装置の一構成例を示す回路構成図である。
【図２】第１態様における画像表示装置の一構成例を示す機能ブロック図である。
【図３】図１および図２に記載の画像表示装置の動作を示すフローチャートである。
【図４】第１態様における画像表示装置の他の構成例を示す回路構成図である。
【図５】第１態様における画像表示装置の他の構成例を示す機能ブロック図である。
【図６】図４および図５に示した画像表示装置の動作を示すフローチャートである。
【図７】第２態様における画像表示装置の一構成例を示す回路構成図である。
【図８】第２態様における画像表示装置の一構成例を示す機能ブロック図である。
【図９】図７および図８に記載の画像表示装置の処理領域内情報の蓄積処理を示すフローチャートである。
【図１０】図７および図８に記載の画像表示装置の処理領域内情報の表示処理を示すフローチャートである。
【図１１】ファイル検索等により類似した画面の複数の文書ファイルを縮小画像により表示した例を示す図である。
【図１２】（Ａ）はポインタにより指定した部分上にポップアップ表示が行われている表示例を示す図、（Ｂ）はポインタにより指定した部分とは違う位置にポップアップ表示が行われている表示例を示す図である。
【図１３】（Ａ）は図形がポップアップ表示された様子を示す図、（Ｂ）は処理領域内情報が別ウィンドウに表示されている様子を示す図である。
【符号の説明】
１，２，３  画像表示装置
１０１，２０１，３０１  ＣＰＵ
１０２，２０２，３０２  ＲＯＭ
１０３，２０３，３０３  ＲＡＭ
１０４，２０４，３０４  イメージスキャナ
１０５，２０５，３０５  ディスプレイ
１０６，２０６，３０６  操作デバイス
１２１，２２１，３２１  文書ファイル取得手段
１２２，３２２，２２２  縮小画像生成手段
１２３，２２３，３２３  フィルタ処理手段
１２４，２２４，３２４  処理領域決定手段
１２５，２２５，３２５  処理領域内情報抽出手段
１２６，２２６，３２６  文字認識手段
１２７，２２７，３２７  ポイント手段
１２８，２２８，３２８  処理領域内情報表示手段
２０７，３０７  処理領域内情報データベース
２２９，３２９  処理領域内情報蓄積手段
２３０，３３０  処理領域検索手段
【図１】
2005017592.tif 000003
【図２】
2005017592.tif 000004
【図３】
2005017592.tif 000005
【図４】
2005017592.tif 000006
【図５】
2005017592.tif 000007
【図６】
2005017592.tif 000008
【図７】
2005017592.tif 000009
【図８】
2005017592.tif 000010
【図９】
2005017592.tif 000011
【図１０】
2005017592.tif 000012
【図１１】
2005017592.tif 000013
【図１２】
2005017592.tif 000014
【図１３】
2005017592.tif 000015